(57)【特許請求の範囲】
【請求項１】
１つの計器用変圧変流器ユニットと、２つの受電ユニットと、２つの変圧器側ユニットと、上記各ユニット間を接続する母線とから成り、上記各ユニットは、ガス絶縁開閉装置の前面に列状構成となるよう配置されたキュービクルを備えているガス絶縁開閉装置において、
上記１つの計器用変圧変流器ユニットを中央に、その片側の２つの受電ユニットを、その反対側に上記２つの変圧器側ユニットを配置し、かつ、上記２つの受電ユニットの外側に位置する受電ユニットと２つの変圧器側ユニットの外側に位置する変圧器側ユニットを、上記列状構成されたキュービクルと平行に配置されたバイパス母線で接続すると共に、上記バイパス母線は、ガス絶縁開閉装置の上段に配置されていることを特徴とするガス絶縁開閉装置。
【請求項２】
１つの計器用変圧変流器ユニットと、２つの受電ユニットと、２つの変圧器側ユニットと、上記各ユニット間を接続する母線とから成り、上記各ユニットは、ガス絶縁開閉装置の前面に列状構成となるよう配置されたキュービクルを備えているガス絶縁開閉装置において、
上記１つの計器用変圧変流器ユニットを中央に、その片側の２つの受電ユニットを、その反対側に上記２つの変圧器側ユニットを配置し、かつ、上記２つの受電ユニットの内側に位置する受電ユニットと２つの変圧器側ユニットの内側に位置する変圧器側ユニットを、上記列状構成されたキュービクルと平行に配置されたバイパス母線で接続すると共に、上記バイパス母線は、ガス絶縁開閉装置の下段に配置されていることを特徴とするガス絶縁開閉装置。
【請求項３】
ガス絶縁開閉装置の前面に列状構成されたキュービクルを各ユニットごとに、ガス絶縁開閉装置各種機器の操作器を収納した操作器盤と、ガス絶縁開閉装置各種機器の制御回路を収納した制御盤とに分け、それぞれ独立したキュービクルとし、上記操作器盤と制御盤は列方向に隣接して配置されていることを特徴とする請求項１又は２に記載のガス絶縁開閉装置。
【発明の詳細な説明】
【０００１】
【産業上の利用分野】
本発明は民需用特高受変電設備用ガス絶縁開閉装置に係る。
【０００２】
【従来の技術】
従来の民需用特高受変電設備用ガス絶縁開閉装置は、使用電力量の計量方法の違いから、１計量方法と２計量方法と呼ばれるものが知られている。前者は、例えば特開平1−303002 号公報に示されるように、二回線で受電した後に１台の計器用変圧変流器を介して２台の変圧器に接続されて構成されているため、二回線受電として電力供給の信頼性を高めているにも拘らず、計器用変圧変流器の点検あるいは交換に際して、需要家は必ず全停にしなければならない。これに対して後者は、例えば特開平1−248911 号公報に示されるように２台の計器用変圧変流器を用い、その一方の点検時には他方の計器用変圧変流器によって使用電力量を計量するようにして、全停を防止することができる。
【０００３】
しかし、上記のように２台の計器用変圧変流器を用いた場合、ガス絶縁開閉装置の大型化，計器用変圧変流器の点検，保守労力の増加などの問題が有るため、２計量方式の場合の２台の計器用変圧変流器のうち一方をバイパス断路器に置き換えたバイパス断路器方式が提案されている。すなわち図１７に示すように、１台の計器用変圧変流器１３とバイパス断路器３２を並列に接続しておき、計器用変圧変流器の点検，交換の際にはバイパス断路器３２を閉路して運転を継続させ、この間の電力使用は従来の使用実績より換算することにより、需要家は全停とはならない。
【０００４】
【発明が解決しようとする課題】
上記したようにバイパス断路器方式を用いることにより、計器用変圧変流器１台で全停することなく計器用変圧変流器の点検，交換が可能となる。
【０００５】
図１８は図１７に示す単線図を従来の技術に基づき構成した場合のガス絶縁開閉装置の平面図であるが、計器用変圧変流器ユニット１３とバイパス断路器３２からなる閉ループ部が平面上に構成されており、ガス絶縁開閉装置が大型化している。これに対し、図２０に示すガス絶縁開閉装置は計器用変圧変流器１３とバイパス断路器３２とからなる閉ループ部を上下２段に立体的に構成しており、ガス絶縁開閉装置の縮少化が図られている。しかしこの構成の場合、バンク増設により変圧器側ユニットを増設する場合、既設の変圧器側ユニットが受電ユニットの内側に配置されているため、増設する変圧器側ユニットと既設の変圧器側ユニットの接続を受電ユニットが妨げる形となり、バンク増設が困難となっている。
【０００６】
本発明の目的は、据付面積が小さくバンク増設にも容易に対応できるガス絶縁開閉装置を提供することにある。
【０００７】
【課題を解決するための手段】
本発明は上記目的を達成するために、計器用変圧変流器ユニットと，受電ユニットと，変圧器側ユニットとからなり、上記各ユニットはキュービクルが前面に列状構成となるよう構成されたガス絶縁開閉装置において、上記計器用変圧変流器ユニットの片側に上記受電ユニットを、その反対側に変圧器側ユニットを配置し、上記計器用変圧変流器ユニットと受電ユニットと，計器用変圧変流器ユニット変圧器側ユニットとをガス母線で接続し、上記受電ユニットと変圧器側ユニット間を、キュービクル列と平行に配置されたバイパス母線により接続したことを特徴とする。
【０００８】
【作用】
本発明によるガス絶縁開閉装置は、上述のように１台の計器用変圧変流器ユニットの片側に受電ユニットを、その反対側に変圧器側ユニットを配置し、上記受電ユニットと変圧器側ユニット間を、全面のキュービクル列と平行に配置されたバイパス母線により接続したことにより、ガス絶縁開閉装置の据付面積を縮少し、コンパクトに構成することができる。
【０００９】
また計器用変圧変流器の片側に受電ユニットを、その反対側に変圧器側ユニットを配置したことにより、バンク増設する際には既設の変圧器側ユニットの外側に既設の変圧器側ユニットと同等の増設する変圧器側ユニットを接続すればよく、増設作業の省力化が図れると共に、増設によるガス絶縁開閉装置の大型化を抑えることができる。
【００１０】
【実施例】
以下、本発明を図面に示す実施例によって説明する。
【００１１】
図１７は２回線受電，バイパス断路器方式，２バンクのガス絶縁開閉装置の標準的な単線接続図であり、これを本発明の一実施例により構成した場合のガス絶縁開閉装置の配置に合わせて描きなおした民需用特高受変電設備の単線接続図が図２である。二組の受電ユニットＬＵ１，ＬＵ２、及び二組の変圧器側ユニットＴＵ１，ＴＵ２はそれぞれ互いに同一構成機器から成っており、それぞれその一方についてのみ説明する。
【００１２】
受電ユニットＬＵ１はケーブル引込みの場合を示しており、変流器１を貫通してケーブルヘッド２にて導入した主回路導体は断路器６を介して遮断器８の一端に接続され、遮断器８の他端は断路器９に接続されている。ケーブルヘッド２と断路器６の間には他端を接地した接地開閉器３の一端と避雷器切離装置５を介して一端を接地した避雷器４の他端が接続されている。また、断路器６，９の遮断器側には、それぞれ接地開閉器７，１０が接続されている。計器用変圧変流器ユニットＰＵ１は計器用変圧変流器１３の両側にそれぞれ断路器１１，１４と一端を接地した接地開閉器１２，１５の他端を接続されており、変圧器側ユニット  ＴＵ１は、遮断器１９の一端に断路器１７と一端を接地した接地開閉器１８の他端を接続し、遮断器１９の他端に一端を接地した接地開閉器２０の他端を接続して構成され、ケーブルヘッド２１を介して変圧器ＴＲ１に接続される。
【００１３】
両受電ユニットＬＵ１，ＬＵ２の変圧器側端は、断路器２２，２４及び一端を接地した接地開閉器２３，２５を有する接続導体３０により接続され、計器用変圧変流器ユニットＰＵ１と接続しており、両変圧器側ユニットＴＵ１，ＴＵ２の受電側端は、断路器２６，２８及び一端を接地した接地開閉器２７，２９を有する接続導体３１により接続され、計器用変圧変流器ユニットＰＵ１と接続している。また、受電ユニットＬＵ１，ＬＵ２と変圧器側ユニットＴＵ１，ＴＵ２はバイパス断路器３２を有するバイパス母線３３により接続されている。
【００１４】
図１は、図２の単線接続図により表されるガス絶縁開閉装置を、本発明により構成した一実施例の平面図である。中央には計器用変圧変流器ユニットＰＵ１が配置されており、その片側に受電ユニットＬＵ１，ＬＵ２が配置され、受電ユニットＬＵ１，ＬＵ２と反対側には変圧器側ユニットＴＵ１，ＴＵ２が配置されている。また上記各ユニットの持つキュービクル４０は、ガス絶縁開閉装置の前面に列状に配置されており、バイパス母線３３はキュービクル列の方向と平行にガス絶縁開閉装置の上段に配置されている。
【００１５】
ここで断路器２２，２４，２６，２８は、図２０の従来の装置に比べて異なった位置にある。つまり、従来は、キュービクルと平行な方向に断路器２２，２４，２６，２８を設けていたため、その方向が長くなったが、本発明によれば断路器２２，２４，２６，２８を、変圧器側ユニットＴＵ１,ＴＵ２とＴＲ１,ＴＲ２との接続部及び、受電ユニットＬＵ１，ＬＵ２の端部に設けていることにより、キュービクルと平行な方向の長さを短くできる。
【００１６】
図３，図４は図１におけるＡ−Ａ，Ｂ−Ｂ視図であり、それぞれ受電ユニットＬＵ１，ＬＵ２の側面図を示している。キュービクル４０の背面に配置した遮断器８のキュービクルとは反対側には上下一組の口出部４１，４２が設けられており、上方に設けられた口出部４１は接地開閉器１０を持つ断路器９を介して、両受電ユニットＬＵ１，ＬＵ２接続する接続導体３０につながっている。下方に設けられた口出部４２は、接地開閉器７を持つ断路器６，避雷器切離装置５を持つ避雷器４、及び接地開閉器３を介してケーブルヘッド２に接続されている。また両受電ユニットＬＵ１，ＬＵ２の上方にはバイパス母線３３が配置されており、受電ユニットＬＵ１においては、図３に示すように上方の口出部４１とバイパス母線３３が接続されている。
【００１７】
本発明によればバイパス母線をキュービクルの列と平行に一直線に設けることができるため、母線の長さを最短化，効率化できる。
【００１８】
図５，図６は図１におけるＣ−Ｃ，Ｄ−Ｄ視図であり、それぞれ変圧器側ユニットＴＵ１，ＴＵ２の側面図を示している。キュービクル４０の背面に配置した遮断器１９のキュービクルとは反対側には上下一組の口出部４３，４４が設けられており、上方に設けられた口出部４３は、接地開閉器１８を持つ断路器１７を介して、両変圧器側ユニットＴＵ１，ＴＵ２を接続する接続導体３１につながっている。下方に設けられた口出部４４は接地開閉器２０を介してケーブルヘッド２１に接続されている。また両変圧器側ユニットＴＵ１，ＴＵ２の上方にはバイパス母線３３が配置されており、変圧器側ユニットＴＵ１においては、図５に示すように上方の口出部４３とバイパス母線３３が接続されている。
【００１９】
図７は図１におけるＥ−Ｅ視図であり、計器用変圧変流器ユニットＰＵ１の側面図を示している。計器用変圧変流器１３には、キュービクル側にアダプター  ３９を介して口出部４５が設けられており、接続導体３４，３５を介してそれぞれ接地開閉器１２を持つ断路器１１および、接地開閉器１５を持つ断路器１４に接続されている。また計器用変圧変流器ユニットＰＵ１の上方には、バイパス母線３３が配置されている。
【００２０】
図８は図１におけるＦ−Ｆ視図である。バイパス断路器３２を有するバイパス母線３３はガス絶縁開閉装置上方に配置され、受電ユニットＬＵ１と変圧器側ユニットＴＵ１を接続している。
【００２１】
以上図１に示される本発明の一実施例について説明したが、計器用変圧変流器ユニットの片側に受電ユニットを、その反対側に変圧器側ユニットを配置し、受電ユニットと変圧器側ユニットを接続するバイパス母線をキュービクル列方向と平行に配置することによりガス絶縁開閉装置が大幅に縮小化されているのがわかる。また図９は図１に示されるガス絶縁開閉装置に１バンク増設した場合の平面図であり、バイパス母線３３と接続されないことを除いて既設の変圧器側ユニットＴＵ１と同等な増設される変圧器側ユニットＴＵ３を、既設の変圧器側ユニットＴＵ１の外側に接続するだけでバンク増設ができ、増設作業の省力化，バンク増設によるガス絶縁開閉装置の大型化防止が図られている。
【００２２】
図１０は、図２に示す単線接続図を本発明の別の実施例により構成した場合のガス絶縁開閉装置の平面図である。図１の場合と同様に、計器用変圧変流器ユニットＰＵ１の片側に受電ユニットＬＵ１，ＬＵ２を、その反対側に変圧器側ユニットＴＵ１，ＴＵ２を配置してあり、バイパス母線３３は、前面のキュービクル列方向と平行にガス絶縁開閉装置下段に配置され、受電ユニットＬＵ２と変圧器側ユニットＴＵ２を接続している。また図１０に示す実施例では受電ユニット  ＬＵ１，ＬＵ２、変圧器側ユニットＴＵ１，ＴＵ２それぞれの持つキュービクルをガス絶縁開閉装置各構成機器の操作器を収納した操作器盤４１ａと、ガス絶縁開閉装置各種構成機器の制御回路を収納した制御盤４１ｂとに分割し、各ユニットごとに操作器盤４１ａと制御盤４１ｂを列方向に隣接して配置している。
【００２３】
図１１，図１２は図１０におけるＡ−Ａ，Ｂ−Ｂ視図であり、それぞれ受電ユニットＬＵ１，ＬＵ２の側面図を示している。キュービクル４０の背面に配置した遮断器８の反キュービクル側には上下一組の口出部４１，４２が設けられており、下方に設けられた口出部４１は接地開閉器１０を持つ断路器９を介して、両受電ユニットＬＵ１，ＬＵ２接続する接続導体３０につながっている。上方に設けられた口出部４２は、接地開閉器７を持つ断路器６，避雷器切離装置５を持つ避雷器４、及び接地開閉器３を介してケーブルヘッド２に接続されている。また図１２に示すように、受電ユニットＬＵ２の下方にはバイパス母線３３が配置されており、下方の口出部４１とバイパス母線３３が接続されている。
【００２４】
図１３，図１４は図１０におけるＣ−Ｃ，Ｄ−Ｄ視図であり、それぞれ変圧器側ユニットＴＵ１，ＴＵ２の側面図を示している。キュービクル４０の背面に配置した遮断器１９のキュービクルとは反対側には上下一組の口出部４３，４４が設けられており、下方に設けられた口出部４３は、接地開閉器１８を持つ断路器１７を介して、両変圧器側ユニットＴＵ１，ＴＵ２を接続する接続導体３１につながっている。上方に設けられた口出部４４は接地開閉器２０を介してケーブルヘッド２１に接続されている。また図１４に示すように、変圧器側ユニットＴＵ２の下方にはバイパス母線３３が配置されており、下方の口出部４３とバイパス母線３３が接続されている。
【００２５】
図１５は図１０におけるＥ−Ｅ視図であり、計器用変圧変流器ユニットＰＵ１の側面図を示している。計器用変圧変流器１３には、キュービクルとは反対側にアダプター３９を介して口出部４５が設けられており、接続導体３４，３５を介してそれぞれ接地開閉器１２を持つ断路器１１および、接地開閉器１５を持つ断路器１４に接続されている。また計器用変圧変流器ユニットＰＵ１の下方には、バイパス母線３３が配置されている。
【００２６】
図１６は図１０におけるＦ−Ｆ視図である。バイパス断路器３２を有するバイパス母線３３はガス絶縁開閉装置下方に配置され、受電ユニットＬＵ２と変圧器側ユニットＴＵ２を接続している。
【００２７】
以上図１０の実施例について説明したが、計器用変圧変流器ユニットの片側に受電ユニットを、その反対側に変圧器側ユニットを配置し、受電ユニットと変圧器ユニットを接続するバイパス母線をキュービクル列方向と平行に配置することによりガス絶縁開閉装置が大幅に縮小化されているのがわかる。またバンク増設する際には、図１に示される実施例の場合と同様に既設の変圧器側ユニットＴＵ１と同等な増設される変圧器側ユニットＴＵ３を、既設の変圧器側ユニットＴＵ１の外側に接続するだけで増設を行うことができる。また、受電及び変圧器側の各ユニットの持つキュービクルを操作器盤と制御盤に分割し、各ユニットごとに操作器盤と制御盤を列方向に隣接して配置することにより、ガス絶縁開閉装置の高さ寸法が押さえられている。
【００２８】
【発明の効果】
以上述べたように、本発明によるガス絶縁開閉装置は計器用変圧変流器ユニットの片側に受電ユニットを、その反対側に変圧器側ユニットを配置し、受電ユニットと変圧器側ユニットを接続するバイパス母線をキュービクル列方向と平行に配置することにより、据付面積を縮小化すると共にバンク増設の作業を省力化することができる。また、受電側及び変圧器側の各ユニットの持つキュービクルを操作器盤と制御盤に分割し、各ユニットごとに操作器盤と制御盤を列方向に隣接して配置することにより、高さ寸法を抑えることができる。
【図面の簡単な説明】
【図１】本発明の一実施例によるガス絶縁開閉装置の平面図。
【図２】図１に示すガス絶縁開閉装置の構成に対応させた単線接続図。
【図３】図１のＡ−Ａ視図。
【図４】図１のＢ−Ｂ視図。
【図５】図１のＣ−Ｃ視図。
【図６】図１のＤ−Ｄ視図。
【図７】図１のＥ−Ｅ視図。
【図８】図１のＦ−Ｆ視図。
【図９】図１のガス絶縁開閉装置にバンク増設する場合の平面図。
【図１０】本発明の一実施例によるガス絶縁開閉装置の平面図。
【図１１】図１０のＡ−Ａ視図。
【図１２】図１０のＢ−Ｂ視図。
【図１３】図１０のＣ−Ｃ視図。
【図１４】図１０のＤ−Ｄ視図。
【図１５】図１０のＥ−Ｅ視図。
【図１６】図１０のＦ−Ｆ視図。
【図１７】２回線受電，２バンク，バイパス断路器方式の民需用特高受電設備の単線接続図。
【図１８】図１７を従来の技術に基づき構成した場合の平面図。
【図１９】図１７を図２０の配置構成に合わせて描き直した単線図。
【図２０】図１７を従来の技術に基づき縮小化した場合の平面図。
【符号の説明】
ＬＵ１，ＬＵ２…受電ユニット、ＴＵ１…変圧器側ユニット、ＰＵ１，ＰＵ２…計器用変圧変流器ユニット、ＴＲ１，ＴＲ２…変圧器、１…変流器、２，２１…ケーブルヘッド、３，７，１０，１２，１５，１８，２０，２３，２５，２７，２９…接地開閉器、４…避雷器、５…避雷器切離装置、６，９，１１，１４，１６，１７，２２，２４，２６，２８…断路器、８，１９…遮断器、１３…計器用変圧変流器、３０，３１，３４，３５…接続導体、３２…バイパス断路器、  ３３…バイパス母線、３９…アダプター、４０…キュービクル、４０ａ…操作器盤、４０ｂ…制御盤、４１〜４６…口出部。
【図１】
0003721990.tif 000002
【図２】
0003721990.tif 000003
【図３】
0003721990.tif 000004
【図４】
0003721990.tif 000005
【図５】
0003721990.tif 000006
【図６】
0003721990.tif 000007
【図７】
0003721990.tif 000008
【図８】
0003721990.tif 000009
【図９】
0003721990.tif 000010
【図１０】
0003721990.tif 000011
【図１１】
0003721990.tif 000012
【図１２】
0003721990.tif 000013
【図１３】
0003721990.tif 000014
【図１４】
0003721990.tif 000015
【図１５】
0003721990.tif 000016
【図１６】
0003721990.tif 000017
【図１７】
0003721990.tif 000018
【図１８】
0003721990.tif 000019
【図１９】
0003721990.tif 000020
【図２０】
0003721990.tif 000021